(57)【要約】      （修正有）【課題】画像を拡大表示する場合、接続形態に応じて画像を拡大表示する表示装置を提供する。【解決手段】ディスプレイ２ａは、画像出力装置が出力した出力画像に基づく表示用画像を表示する。ディスプレイ２ａは、表示用画像を表示する表示部と、表示用画像を拡大する拡大縮小部と、表示用画像を拡大する表示変更指示を取得するユーザ指示部と、表示変更指示をユーザ指示部が取得した場合、出力画像に基づく画像を表示するディスプレイ２ｂがディスプレイ２ａと同一の画像を表示するように設定されている時は、カメラにおいて出力画像から切り出されたトリミング画像を表示用画像として表示部に表示させ、ディスプレイ２ｂが表示用画像をディスプレイ２ａと同一の画像を表示するように設定されていない時は、拡大縮小部が表示用画像を拡大した拡大画像を表示部に表示させる接続フロー制御部と、を有する。【選択図】図５
2018182511.tif 000002
【特許請求の範囲】
【請求項１】
画像出力装置が出力した出力画像に基づく表示用画像を表示する表示装置であって、
前記表示用画像を表示する表示手段と、
前記表示用画像を拡大する表示変更手段と、
前記表示用画像を拡大する表示変更指示を取得する指示取得手段と、
前記表示変更指示を前記指示取得手段が取得した場合、前記出力画像に基づく画像を表示する外部装置が前記表示装置と同一の画像を表示するように設定されているときは、前記画像出力装置において前記出力画像から切り出されたトリミング画像を前記表示用画像として前記表示手段に表示させ、前記外部装置が前記表示用画像を前記表示装置と同一の画像を表示するように設定されていないときは、前記表示変更手段が表示用画像を拡大した拡大画像を前記表示用画像として前記表示手段に表示させる制御手段と、
を有することを特徴とする表示装置。
【請求項２】
前記制御手段は、前記画像出力装置が前記表示変更指示に基づいて前記出力画像を切り出すことができる場合に前記トリミング画像を前記表示手段に表示させ、前記画像出力装置が前記表示変更指示に基づいて前記出力画像を切り出すことができない場合に、前記拡大画像を前記表示手段に表示させることを特徴とする、
請求項１記載の表示装置。
【請求項３】
前記制御手段は、前記表示変更指示が示す拡大対象領域の画像に含まれる画素数が、前記画像出力装置が切り出し可能な画像の画素数よりも多い場合に、前記画像出力装置が切り出した画像を拡大処理してから前記表示手段に表示させることを特徴とする、
請求項２に記載の表示装置。
【請求項４】
前記外部装置が前記表示装置と同一の前記表示用画像を表示する同期設定モードに設定されているか否かを示す設定情報を取得する情報取得手段をさらに有し、
前記制御手段は、前記情報取得手段が取得した前記設定情報が、前記外部装置が前記同期設定モードに設定されていることを示している場合、前記トリミング画像を前記表示手段に表示させることを特徴とする、
請求項１から３のいずれか一項に記載の表示装置。
【請求項５】
前記制御手段は、前記表示変更指示を前記指示取得手段が取得した場合、前記表示装置と前記外部装置とに前記出力画像に基づく画像を分配して入力する分配装置が接続されている場合に、前記トリミング画像を前記表示用画像として前記表示手段に表示させず、前記拡大画像を前記表示用画像として前記表示手段に表示させることを特徴とする、
請求項１から４のいずれか一項に記載の表示装置。
【請求項６】
前記制御手段は、前記表示装置と前記外部装置とに前記分配装置が接続されており、かつ前記外部装置が前記表示用画像を前記表示装置と同一の画像を表示するように設定されていないときは、前記拡大画像を前記表示手段に表示させることを特徴とする、
請求項５に記載の表示装置。
【請求項７】
前記制御手段は、複数の前記画像出力装置と接続されている状態において、前記複数の画像出力装置のうち少なくとも一つの切り出し装置が画像の切り出し機能を有する場合、前記切り出し装置が前記外部装置に画像を出力していないことを条件として、前記切り出し装置が切り出した前記トリミング画像を前記表示手段に表示させることを特徴とする、
請求項１から６のいずれか一項に記載の表示装置。
【請求項８】
撮像手段が生成した撮像画像に基づく画像を請求項１から７のいずれか一項に記載の複数の表示装置に出力する画像出力装置であって、
前記撮像画像を縮小することにより、前記複数の表示装置に出力する出力画像を生成する画像縮小手段と、
前記複数の表示装置に同一の前記出力画像を出力するモードに設定されていないことを条件として、前記撮像画像の一部の領域を切り出したトリミング画像を前記複数の表示装置のうちの一部の表示装置に出力する出力手段と、
を有することを特徴とする画像出力装置。
【請求項９】
コンピュータが実行する、
画像出力装置が出力した出力画像に基づく表示用画像を表示装置に表示させる表示方法であって、
前記表示用画像を表示手段に表示させるステップと、
前記表示用画像の表示状態を変更するステップと、
前記表示用画像を拡大する表示変更指示を取得するステップと、
前記表示変更指示を取得した場合、前記出力画像に基づく画像を表示する外部装置が前記表示装置と同一の画像を表示するように設定されていると判定するステップと、
前記外部装置が前記表示装置と同一の画像を表示するように設定されていると判定した場合に、前記画像出力装置において前記出力画像が切り出されたトリミング画像を前記表示用画像として前記表示手段に表示させるステップと、
前記外部装置が前記表示用画像を前記表示装置と同一の画像を表示するように設定されていないと判定した場合に、前記出力画像を拡大した拡大画像を前記表示用画像として前記表示手段に表示させるステップと、
を有することを特徴とする表示方法。
【請求項１０】
前記画像出力装置が前記表示変更指示に基づいて前記出力画像を切り出すことができると判定した場合に前記トリミング画像を前記表示手段に表示させるステップと、
前記画像出力装置が前記表示変更指示に基づいて前記出力画像をトリミングできないと判定した場合に、前記拡大画像を前記表示手段に表示させるステップと、
を有することを特徴とする、
請求項９に記載の表示方法。
【請求項１１】
前記外部装置が前記表示装置と同一の前記表示用画像を表示する同期設定モードに設定されているか否かを示す設定情報を取得するステップと、
前記設定情報が、前記外部装置が前記同期設定モードに設定されていることを示している場合、前記トリミング画像を前記表示手段に表示させるステップと、
を有することを特徴とする、
請求項９又は１０に記載の表示方法。
【請求項１２】
前記表示変更指示を取得するステップと、
前記表示装置と前記外部装置とに前記出力画像に基づく画像を分配して入力する分配装置が接続されているか否かを判定するステップと、
前記分配装置が接続されていると判定した場合、前記トリミング画像を前記表示用画像として前記表示手段に表示させず、前記拡大画像を前記表示用画像として前記表示手段に表示させるステップと、
を有することを特徴とする請求項９又は１０に記載の表示方法。
【請求項１３】
複数の前記画像出力装置と接続されている状態において、前記複数の画像出力装置のうち少なくとも一つの切り出し装置が画像の切り出し機能を有する場合、前記切り出し装置が前記外部装置に画像を出力しているか否かを判定するステップと、
前記切り出し装置が前記外部装置に画像を出力していないことを条件として、前記切り出し装置が切り出した前記トリミング画像を前記表示手段に表示させるように制御するステップと、
を有することを特徴とする、
請求項９から１１のいずれか一項に記載の表示方法。
【発明の詳細な説明】
【技術分野】
【０００１】
本発明は、画像を表示する表示装置、画像を出力する画像出力装置、及び画像の表示方法に関する。
【背景技術】
【０００２】
デジタルカメラが高解像度化し、４Ｋ解像度や８Ｋ解像度に対応したカメラ（以下４Ｋカメラ、８Ｋカメラという）が増えてきている。映像制作現場においては、画像を拡大する機能を備えている表示装置上に撮影した画像を表示し、撮影した画像を拡大してフォーカスやディテールを確認することが行われている。特許文献１には、複数の映像入出力機器が接続されているシステムにおいて、機器によって異なる画像処理を行う技術が開示されている。
【先行技術文献】
【特許文献】
【０００３】
【特許文献１】特開２０１０−０８１５１０号公報
【発明の概要】
【発明が解決しようとする課題】
【０００４】
映像制作現場において、コスト面などの制約によりカメラの解像度よりも小さい解像度の表示装置を使用する場合がある。カメラの解像度よりも解像度が小さい表示装置に、撮影した画像を縮小した縮小画像を表示している場合、表示装置上で拡大すると、撮影した画像に比べて、表示した画像の画質が低下することがある。
【０００５】
特許文献１には、機器の画質処理の性能に基づいて、最も性能の高い超解像処理を有する機器の超解像処理機能をオンにし、他の機器の超解像処理機能をオフにする技術が開示されている。特許文献１に開示された技術を用いることで、表示装置上で、高画質な画像を表示することができる。
【０００６】
しかし、映像制作現場においては、一つの撮影装置から出力された同一の画像を、複数の表示装置で表示する場合がある。このような場合に、特許文献１に開示された技術を用いると、表示装置を視認しているユーザの意図に反して、表示装置ごとに画質が異なる画像が表示されてしまうという問題があった。
【０００７】
そこで、本発明はこれらの点に鑑みてなされたものであり、互いに接続された複数の表示装置のうちの一つでユーザが拡大操作を行った場合に、複数の表示装置の接続形態に適した方法で表示用画像を拡大表示することができる表示装置、及び表示方法を提供することを目的とする。
【課題を解決するための手段】
【０００８】
本発明の表示装置は、画像出力装置が出力した出力画像に基づく表示用画像を表示する表示装置であって、前記表示用画像を表示する表示手段と、前記表示用画像を拡大する表示変更手段と、前記表示用画像を拡大する表示変更指示を取得する指示取得手段と、前記表示変更指示を前記指示取得手段が取得した場合、前記出力画像に基づく画像を表示する外部装置が前記表示装置と同一の画像を表示するように設定されているときは、前記画像出力装置において前記出力画像から切り出されたトリミング画像を前記表示用画像として前記表示手段に表示させ、前記外部装置が前記表示用画像を前記表示装置と同一の画像を表示するように設定されていないときは、前記変更手段が表示用画像を拡大した拡大画像を前記表示用画像として前記表示手段に表示させる制御手段と、を有することを特徴とする。
【０００９】
本発明の画像出力装置は、撮像手段が生成した撮像画像に基づく画像を上記の複数の表示装置に出力する画像出力装置であって、前記撮像画像を縮小することにより、前記複数の表示装置に出力する出力画像を生成する画像縮小手段と、前記複数の表示装置に同一の前記出力画像を出力するモードに設定されていないことを条件として、前記撮像画像の一部の領域を切り出したトリミング画像を前記複数の表示装置のうちの一部の表示装置に出力する出力手段と、を有することを特徴とする。
【００１０】
本発明の表示方法は、コンピュータが実行する、画像出力装置が出力した出力画像に基づく表示用画像を表示装置に表示させる表示方法であって、前記表示用画像を表示手段に表示させるステップと、前記表示用画像の表示状態を変更するステップと、前記表示用画像を拡大する表示変更指示を取得するステップと、前記表示変更指示を取得した場合、前記出力画像に基づく画像を表示する外部装置が前記表示装置と同一の画像を表示するように設定されていると判定するステップと、前記外部装置が前記表示装置と同一の画像を表示するように設定されていると判定した場合に、前記画像出力装置において前記出力画像が切り出されたトリミング画像を前記表示用画像として前記表示手段に表示させるステップと、前記外部装置が前記表示用画像を前記表示装置と同一の画像を表示するように設定されていないと判定した場合に、前記出力画像を拡大した拡大画像を前記表示用画像として前記表示手段に表示させるステップと、を有することを特徴とする。
【発明の効果】
【００１１】
本発明によれば、互いに接続された複数の表示装置のうちの一つでユーザが拡大操作を行った場合に、複数の表示装置の接続形態に適した方法で表示用画像を拡大表示することができるという効果を奏する。
【図面の簡単な説明】
【００１２】
【図１】表示システムの構成を示す図である。
【図２】カメラの構成を示す図である。
【図３】接続フロー情報の一例を示す図である。
【図４】表示設定情報の一例を示す図である。
【図５】機器情報の一例を示す図である。
【図６】ディスプレイの構成を示す図である。
【図７】ディスプレイの動作フローチャートである。
【図８】第２の実施形態に係る表示システムの構成を示す図である。
【図９】切り出し装置及びスイッチャーの構成を示す図である。
【図１０】第２の実施形態に係る接続フロー情報の一例を示す図である。
【図１１】第２の実施形態に係る機器情報の一例を示す図である。
【図１２】第２の実施形態に係るディスプレイの動作フローチャートである。
【図１３】変更された接続フロー情報の一例を示す図である。
【発明を実施するための形態】
【００１３】
＜第１の実施形態＞
図１は、表示システムＳの構成を示す図である。表示システムＳは、カメラ１と、ディスプレイ２ａと、ディスプレイ２ｂとを有する。カメラ１は、例えば４Ｋ解像度（３８４０×２１６０画素）で撮影可能なデジタルカメラであり、撮影した画像をディスプレイ２ａに出力する画像出力装置である。カメラ１は、例えば映像ケーブルを介してＩＰ伝送方式でディスプレイ２ａと接続されている。
【００１４】
ディスプレイ２ａ及び２ｂは、例えばＨＤ解像度（１２８０×７２０）の液晶ディスプレイである。ディスプレイ２ａ及び２ｂは、ＨＤ解像度の液晶ディスプレイに限らないが、カメラ１が撮影可能な画像の解像度より小さい解像度のディスプレイであることが想定されている。ディスプレイ２ａ及び２ｂは、カメラ１が出力した出力画像に基づく表示用画像を画面に表示する表示装置である。ディスプレイ２ａ及び２ｂが、カメラ１が出力した出力画像を画面に表示する場合、４Ｋ解像度の画像を表示することができないため、カメラ１が出力画像を縮小した画像を画面に表示する。
【００１５】
ディスプレイ２ａは、ディスプレイ２ｂと例えば映像ケーブルを介してＩＰ伝送方式で接続されている。ディスプレイ２ａは、カメラ１が出力した出力画像をディスプレイ２ｂにスルーアウト出力する。すなわち、ディスプレイ２ａは、カメラ１が出力した出力画像をそのままの状態でディスプレイ２ｂに出力する。ディスプレイ２ｂは、ディスプレイ２ａを介して、カメラ１が出力した出力画像に基づく表示用画像を画面に表示する外部装置である。なお、カメラ１とディスプレイ２ｂとは直接接続されていない。
【００１６】
ユーザ（例えば、映像制作者）がカメラ１で撮影した画像をディスプレイ２ａ及び２ｂに表示させて画像のディテール又はフォーカスを調整する場合、ユーザは、例えばディスプレイ２ａが表示する表示用画像を拡大して確認する。ディスプレイ２ａにおいて表示した表示用画像を拡大すると、カメラ１が縮小した画像を拡大することになるので、表示用画像の画質が劣化してしまう。そこで、ディスプレイ２ａが表示する表示画像を拡大する場合に、カメラ１が撮影した撮像画像から拡大したい領域を切り出したトリミング画像を表示用画像として表示することで、画質の劣化が少ない状態で拡大された画像を表示することができる。
【００１７】
しかし、撮像画像から拡大したい領域をカメラ１において切り出したトリミング画像を表示用画像として表示する場合、ディスプレイ２ａがスルーアウト出力した出力画像を表示するディスプレイ２ｂが表示する表示用画像も変化する。このように、カメラ１がトリミング画像を出力すると、表示変更指示を入力したディスプレイ２ａと異なるディスプレイ２ｂを視認するユーザの意図に反して表示用画像が変化してしまうということが生じる。ディスプレイ２ａとディスプレイ２ｂとが同一の画像を表示するように設定されている場合は、ディスプレイ２ａにおける拡大操作に伴ってディスプレイ２ｂの表示用画像が拡大しても問題ないが、ディスプレイ２ａとディスプレイ２ｂとが同一の画像を表示するように設定されていない場合、ディスプレイ２ｂを視認するユーザにとっては好ましくない。
【００１８】
そこで、本実施形態に係るディスプレイ２ａは、ディスプレイ２ａとディスプレイ２ｂとが同一の画像を表示するように設定されていることを条件として、ディスプレイ２ａにおける拡大操作に応じて、カメラ１が拡大したい領域を切り出したトリミング画像を表示する。ディスプレイ２ａは、ディスプレイ２ａとディスプレイ２ｂとが同一の画像を表示するように設定されていない場合、ディスプレイ２自身が表示用画像を拡大した画像である変更画像を表示する。このようにすることで、本実施形態に係るディスプレイ２ａは、ユーザがディスプレイ２に表示用画像を拡大する表示変更指示を入力した場合に、ディスプレイ２ａとディスプレイ２ｂとの間の接続形態に適した方法で表示用画像を拡大表示することができる。
【００１９】
［カメラ１の構成］
図２は、カメラ１の構成を示す図である。カメラ１は、撮像部１１と、入出力部１２と、記憶部１３と、出力制御部１４とを有する。出力制御部１４は、切替部１４１、縮小部１４２、切り出し処理部１４３、接続フロー生成部１４４及び接続フロー制御部１４５を含む。撮像部１１は、動画像を撮影することにより撮像画像を生成する。撮像部１１は、生成した撮像画像を切替部１４１に送信する。また、撮像部１１は、動画像の撮影を開始すると、撮影を開始したことを示す撮影開始情報を接続フロー生成部１４４に通知する。なお、撮像部１１は、４Ｋ解像度（３８４０ｘ２１６０画素）で動画像を撮影するが、解像度はこれに限らず、ユーザが任意に設定することができるようにしてもよい。
【００２０】
入出力部１２は、他の装置と映像及び情報を送受信する通信インターフェースである。入出力部１２は、例えば、ＤｉｓｐｌａｙＰｏｒｔ（登録商標）及びＨＤＭＩ（High-Definition Multimedia Interface）（登録商標）を有するが、これに限定されるものではない。入出力部１２は、後述する縮小部１４２から受信した出力画像、又は切り出し処理部１４３から受信したトリミング画像をディスプレイ２ａに送信する。
【００２１】
記憶部１３は、ＲＯＭ（Read Only Memory）、及びＲＡＭ（Random Access Memory）などの記憶媒体を含む。記憶部１３は、自装置の機器情報、他の装置の機器情報、及び接続フロー情報を記憶する。詳細については後述するが、機器情報は、表示システムＳに含まれる各装置の情報を管理するための情報である。接続フロー情報は、表示システムＳに含まれる各装置の接続状態を管理するための情報である。また、記憶部１３は、例えば出力制御部１４が実行するプログラム、映像データ、又は画像データを記憶してもよい。
【００２２】
出力制御部１４は、撮像部１１が撮像した撮像画像を出力画像として出力するための出力制御手段である。出力制御部１４は、例えばＣＰＵ（Central Processing Unit）である。出力制御部１４は、記憶部１３に記憶されたプログラムを実行することにより、切替部１４１、縮小部１４２、切り出し処理部１４３、接続フロー生成部１４４及び接続フロー制御部１４５として機能する。
【００２３】
切替部１４１は、撮像部１１から撮像画像を取得し、入出力部１２から受信した出力画像を切り出すための切り出し指示又は出力画像の切り出しを停止するための切り出し停止指示に基づいて、撮像画像の通知先を切り換えるスイッチである。切り出し指示は、撮像画像に含まれる画素のうち、切り出しを開始する画素の開始座標、及び撮像画像を切り出す大きさを示すサイズ情報を含む。切替部１４１は、切り出し指示を取得すると、撮像画像とともに、切り出し指示に含まれる開始座標及びサイズ情報を切り出し処理部１４３に通知する。切替部１４１は、切り出し停止指示を取得すると、撮像画像を縮小部１４２に通知する。なお、切替部１４１は、切り出し指示及び切り出し停止指示のどちらも受信していない場合、縮小部１４２に撮像画像を通知してもよい。
【００２４】
縮小部１４２は、切替部１４１から撮像画像を取得した撮像画像を縮小し、出力画像として入出力部１２に送信する。縮小部１４２は、撮像画像を縮小せずに入出力部１２に送信してもよい。縮小部１４２は、接続フロー生成部１４４から他の装置の機器情報を取得して、機器情報に含まれる最大解像度に基づいて撮像画像を縮小する。縮小部１４２は、入出力部１２を介して他の装置からＥＤＩＤ（Extended Display Identification Data）を取得し、ＥＤＩＤに含まれる解像度情報に基づいて、縮小後の解像度を決定してもよい。
【００２５】
切り出し処理部１４３は、切替部１４１から撮像画像及び切り出し指示を受信すると、開始座標及びサイズ情報に基づいて撮像画像を切り出してトリミング画像を生成する。切り出し処理部１４３は、トリミング画像を入出力部１２に送信する。
【００２６】
接続フロー生成部１４４は、表示システムＳに含まれる複数の機器間の接続関係を示す接続フロー情報を生成する。図３は、接続フロー情報の一例を示す図である。本実施形態において、接続フロー生成部１４４は、接続フロー情報を、図３に示すようなテーブル形式で生成するが、これに限らず他の形式で生成してもよい。以下、接続フロー情報に含まれる各情報項目について詳細に説明する。
【００２７】
（接続フロー情報）
「接続Ｎｏ．」は、接続機器の番号を示す。「接続Ｎｏ．」は、カメラ１を１として、後段にいくほど番号が大きくなるように設定されている。「種別」は、各機器の種別を示す情報であり、本実施形態では「カメラ」、「ディスプレイ」のいずれかから選択されるものとする。
【００２８】
「前段装置」は、それぞれの機器の一つ前に接続されている機器を示す。「前段装置」が「１」ならば、「接続Ｎｏ．」が「１」の機器が前段に接続されていることを示す。「前段装置」が「−」ならば前段に接続されている機器が存在しないことを示す。「後段装置」は、それぞれの機器の一つ後ろに接続されている機器を示す。「後段装置」が「２」ならば、「接続Ｎｏ．」が「２」の機器が後段に接続されていることを示す。「後段装置」が「−」ならば後段に接続されている機器が存在しないことを示す。
【００２９】
「撮影／最大受信解像度」は、各種別の機器が処理可能な最大解像度である。例えばカメラであれば撮影可能な解像度、ディスプレイであれば表示可能な解像度を示す。解像度情報は本実施例では横×縦の画素数とし、例えば「３８４０×２１６０」ならば最大で３８４０×２１６０画素に対応していることを示し、「１２８０×７２０」ならば最大で１２８０×７２０画素に対応していることを示す。「切出機能」とは、各機器が画像を切り出す機能を備えているかを示す情報である。「切出機能」が「有」の場合は、切り出し機能を備えていることを示し、「無」の場合は切り出し機能を備えていないことを示す。
【００３０】
「映像ソース」は、ディスプレイ２が表示している画像がどの装置から出力された画像かを示す。「映像ソース」が「１」であれば、「接続Ｎｏ．」が「１」の機器から出力された画像を表示していることを示す。「出力方法」とは、各機器が画像をどのように出力しているかを示す情報である。「出力方法」が「縮小」の場合は画像を縮小して後段に出力していることを示す。「出力方法」が「スルーアウト」であれば、受信した画像をそのまま後段装置に出力していることを示す。「出力方法」が「−」であれば後段装置へ映像を出力していないことを示す。
【００３１】
「同期設定」は、複数のディスプレイ２が、他のディスプレイ２と同一の状態で表示用画像を表示するモードに設定されているか、他のディスプレイ２と同一の状態で表示用画像を表示しないモードに設定されているかを示す同期設定情報の値を示す。「同期設定」が「有」であれば、複数のディスプレイ２の画角及び画質が同一になるように設定されており、複数のディスプレイ２間で同一の画像が表示される。「同期設定」が「無」であれば複数のディスプレイ２間で同一の画像が表示されない。「同期設定」が「−」であれば、複数のディスプレイ２の画角及び画質を等しくする機能を備えていないことを示す。
【００３２】
以下の説明において、「同期設定」が「有」であるディスプレイ２を同期されたディスプレイ２という。同期されたディスプレイ２は、複数の同期されたディスプレイ２のうちいずれかの画角及び画質が変更された場合、他の複数の同期されたディスプレイ２のすべての画角及び画質が変更され、複数の同期されたディスプレイ２のすべてで同一の画像が表示される。なお、ディスプレイ２以外の機器は、画角及び画質を等しくする機能を備えていない。
【００３３】
複数のディスプレイ２の画角及び画質は、「表示設定情報」として、記憶部１３が記憶してもよい。図４は、表示設定情報の一例を示す図である。図４（ａ）は、ディスプレイ２の画角設定情報の一例を示す図である。画角設定情報は、例えば画像に含まれる画素のうち表示を開始する画素の位置を示す「表示開始位置」、及び画像を表示する大きさを示す「表示サイズ」である。図４（ｂ）は、ディスプレイ２の画質設定情報の一例を示す図である。画質設定情報は、例えば画像の表示における明度の差を示す「コントラスト」、及びディスプレイ画面の輝度を示す「ブライトネス」である。
【００３４】
接続フロー生成部１４４は、自装置の機器情報をさらに生成する。機器情報は、表示システムＳに含まれる各装置に固有の情報である。図５は、機器情報の一例を示す図である。接続フロー生成部１４４は、機器情報を、図５に示すようなテーブル形式で生成するが、これに限らず他の形式で生成してもよい。機器情報に含まれる各情報項目は、接続フロー情報に含まれる各情報項目と同一であるので説明を省略する。図５（ａ）は、カメラ１の機器情報を示す図である。図５（ｂ）は、ディスプレイ２ａの機器情報を示す図である。図５（ｃ）は、ディスプレイ２ｂの機器情報を示す図である。本実施形態において、機器情報は図５に示すようなテーブル形式で記憶されるが、これに限らず他の形式で記憶されてもよい。
【００３５】
接続フロー生成部１４４は、撮像部１１から撮影開始情報を受信すると、自装置の機器情報を生成する。接続フロー生成部１４４は、他の装置から機器情報を受信すると、他の装置の機器情報と、自装置の機器情報とを含む接続フロー情報を生成する。また、接続フロー生成部１４４は、他の装置から接続フロー情報を受信すると、受信した接続フロー情報に、自装置の機器情報を加えた、新たな接続フロー情報を生成する。接続フロー生成部１４４は、生成した自装置の機器情報、又は接続フロー情報を、接続フロー制御部１４５に通知する。
【００３６】
接続フロー制御部１４５は、表示システムＳにおける自装置と他の装置との接続状態を示す情報を他の装置と送受信する制御手段である。また、接続フロー制御部１４５は、撮像部１１が撮像した撮像画像の出力を制御し、入出力部１２に出力画像として他の装置（例えば２ａ）へ送信させる。接続フロー制御部１４５は、入出力部１２を介して、他の装置から機器情報又は接続フロー情報を取得する。接続フロー制御部１４５は、取得した機器情報又は接続フロー情報を接続フロー生成部１４４に通知し、新たに接続フロー情報を生成させる。また、接続フロー制御部１４５は、取得した機器情報又は接続フロー情報を記憶部１３に記憶させてもよい。接続フロー制御部１４５は、接続フロー生成部１４４が生成した機器情報又は接続フロー情報を受信すると、入出力部１２を介して他の装置に受信した情報を送信する。
【００３７】
接続フロー制御部１４５は、入出力部１２を介して他の装置に対して機器情報の送信を要求していることを示す要求情報を送信する。また、接続フロー制御部１４５は、入出力部１２を介して他の装置に接続フロー情報の送信を要求していることを示す要求情報を送信してもよい。接続フロー制御部１４５は、入出力部１２を介して他の装置から要求情報を受信すると、要求情報が示す機器情報又は接続フロー情報を、要求情報を送信した装置へ送信する。また、接続フロー制御部１４５は、例えば、１４５は、ディスプレイ２ａに対し、一定期間ごとに要求情報を送信する。一定期間は例えば１０秒であるが、これに限らない。
【００３８】
接続フロー制御部１４５は、入出力部１２を介して切り出し指示を受信すると、切替部１４１に切り出し指示を通知する。また、接続フロー制御部１４５は、入出力部１２を介して切り出し停止指示を受信すると、切替部１４１に切り出し停止指示を通知する。
【００３９】
［ディスプレイ２の構成］
図６は、ディスプレイ２の構成を示す図である。ディスプレイ２は、入出力部２１と、ユーザ指示部２２と、表示部２３と、記憶部２４と、出力制御部２５とを有する。出力制御部２５は、拡大縮小部２５１、接続フロー生成部２５２、同期制御部２５３、及び接続フロー制御部２５４を含む。なお、本実施形態において、ディスプレイ２ａ及びディスプレイ２ｂは同一の構成である。
【００４０】
入出力部２１は、他の装置と映像及び情報を送受信する通信インターフェースである。入出力部２１は、例えば、ＤｉｓｐｌａｙＰｏｒｔ及びＨＤＭＩを有するが、これに限定されるものではない。入出力部２１は、他の装置から取得した出力画像を拡大縮小部２５１へ通知する。また、入出力部２１は、自装置と異なる他の装置に画像を出力する画像出力手段として機能する。例えば、入出力部２１は、画像出力装置から取得した出力画像を、出力画像を取得した画像出力装置と異なる他の装置に出力する。具体的には、入出力部２１は、カメラ１から取得した出力画像をディスプレイ２ｂにスルーアウト出力する。
【００４１】
ユーザ指示部２２は、ユーザが入力した表示用画像に対する表示変更指示を取得する指示取得手段である。ユーザ指示部２２は、例えば操作用のボタンを有しており、接続フロー制御部２５４に、操作されボタンの種別に基づいて特定される受け付けた指示の内容を示す指示信号を送信する。ユーザ指示部２２は、リモコン等から信号を受信する受信部であってもよい。
【００４２】
ユーザ指示部２２は、例えば表示用画像を拡大する表示変更指示を取得する。ユーザ指示部２２は、表示用画像を縮小する表示変更指示を取得してもよい。ユーザ指示部２２は、取得した表示変更指示を、接続フロー制御部２５４に送信する。また、ユーザ指示部２２は、ユーザから画角設定又は画質設定を変更する設定変更指示を受け付ける。ユーザ指示部２２は、受け付けた設定変更指示を接続フロー制御部２５４に送信する。また、ユーザ指示部２２は、ユーザから接続フロー情報に示される「同期設定」の「有」「無」を切り替える切替指示を受け付ける。ユーザ指示部２２は、受け付けた切替指示を接続フロー制御部２５４に送信する。なお、ユーザ指示部２２は、表示用画像を拡大する拡大率を１００％以下にする指示を受けた場合、出力画像の切り出しを停止するための切り出し停止指示を接続フロー制御部２５４へ送信してもよい。
【００４３】
表示部２３は、表示用画像を表示する、例えばＨＤ（１０２４×７２０画素）解像度の液晶パネルである。記憶部２４は、ＲＯＭ、及びＲＡＭなどの記憶媒体を含む。記憶部２４は、自装置の機器情報、他の装置の機器情報、及び接続フロー情報を記憶する。また、記憶部２４は、例えば出力制御部２５が実行するプログラムの記憶、映像データ、又は画像データを記憶してもよい。出力制御部２５は、例えばＣＰＵである。出力制御部２５は、記憶部２４に記憶されたプログラムを実行することにより、拡大縮小部２５１、接続フロー生成部２５２、同期制御部２５３及び接続フロー制御部２５４として機能する。
【００４４】
拡大縮小部２５１は、入出力部２１が出力した出力画像を表示用画像として取得し、表示用画像を拡大又は縮小する画像変更手段である。拡大縮小部２５１は、例えば、接続フロー制御部２５４から受信した表示用画像を拡大又は縮小する表示変更指示に基づいて、表示用画像を拡大又は縮小した変更画像を生成する。具体的には、拡大縮小部２５１は、画像変形指示に含まれる表示用画像に対する拡大率又は縮小率に基づいて表示用画像を拡大又は縮小した変更画像を生成する。拡大縮小部２５１は、生成した変更画像を表示部２３に送信する。拡大縮小部２５１は、変更画像を生成しない場合、入力された表示用画像をそのまま表示部２３に送信する。なお、本明細書においては、拡大縮小部２５１が表示用画像を拡大して得られる変更画像を拡大画像という場合がある。
【００４５】
接続フロー生成部２５２は、接続フロー制御部２５４から受信した指示に基づいて、自装置の機器情報、又は接続フロー情報を生成する。接続フロー生成部２５２は、例えば接続フロー制御部２５４から接続フロー情報を受信するとともに、新たに接続フロー情報を生成する指示を受信すると、受信した接続フロー情報に自装置の機器情報を追加した新たな接続フロー情報を生成する。接続フロー生成部２５２は、生成した機器情報又は接続フロー情報を接続フロー制御部２５４に通知する。
【００４６】
同期制御部２５３は、ディスプレイ２ｂの表示モードを示すモード情報を取得する情報取得手段として機能する。また、同期制御部２５３は、モード情報の一つである同期設定情報に基づいて、複数のディスプレイ２が同期設定状態になっているか否かを判定する。例えば、同期制御部２５３は、接続フロー制御部２５４から受信した接続フロー情報、又は機器情報に含まれる同期設定情報に基づいて、複数のディスプレイ２の同期設定状態か否かを判定する。具体的には、同期制御部２５３は、接続フロー情報に含まれる同期設定情報が「有」であれば、自装置と他のディスプレイ２とが同一の画像を表示する同期設定モードに設定されていると判定する。同期制御部２５３は、同期設定情報が「無」であれば、自装置と他のディスプレイ２とが同一の画像を表示する同期設定モードに設定されていないと判定する。同期制御部２５３は、同期設定の有無を判定した結果を接続フロー制御部２５４に通知する。
【００４７】
なお、以下の説明において、同一の画像を表示する同期設定モードに設定されていることを、「同期設定されている」ということがある。また、同一の画像を表示する同期設定モードに設定されていないことを「同期設定されていない」ということがある。
【００４８】
また、同期制御部２５３は、ディスプレイ２ｂの表示設定状態を示す表示設定情報を取得してもよい。同期制御部２５３は、ユーザ指示部２２が受け付けた表示設定変更指示を取得すると、ディスプレイ２の表示設定を変更するとともに、記憶部２４に記憶された表示設定情報を変更する。具体的には、同期制御部２５３は、表示設定変更指示に含まれる表示設定情報と、記憶部２４に記憶された表示設定情報とを比較し、表示設定変更指示に含まれる表示設定情報と、記憶部２４に記憶された表示設定情報とが同一の場合は表示設定情報を変更しない。
【００４９】
同期制御部２５３は、表示設定変更指示に含まれる表示設定情報と、記憶部２４に記憶された表示設定情報とが同一でない場合、記憶部２４に記憶された表示設定情報を表示設定変更指示に含まれる表示設定情報に変更する。また、同期制御部２５３は、同期設定されている他のディスプレイ２に表示設定変更指示を送信する。同期制御部２５３は、表示設定変更指示に含まれる表示設定情報と、記憶部２４に記憶されたディスプレイ２ｂの表示設定情報とが同一でない場合、ディスプレイ２ｂに表示設定変更指示を送信する。このようにすることで、ディスプレイ２ａとディスプレイ２ｂとは同一の画像を表示することができる。なお、同期制御部２５３は、ユーザ指示部２２が受け付けた表示設定指示に基づいて表示設定を変更したが、入出力部２１を介して、他の装置が受け付けた表示設定指示を受信した場合も同様に動作する。
【００５０】
接続フロー制御部２５４は、表示用画像、トリミング画像、又は変更画像のいずれかを表示部２３に表示させるように制御する表示制御手段として機能する。例えば、接続フロー制御部２５４は、表示変更指示をユーザ指示部２２が取得していない場合、入出力部２１が受信した出力画像を表示用画像として表示部２３に表示させる。また、例えば、接続フロー制御部２５４は、表示変更指示をユーザ指示部２２が取得した場合、出力画像に基づく画像を表示するディスプレイ２ｂが自装置と同一の画像を表示するように設定されているときは、カメラ１が出力画像を切り出したトリミング画像を表示用画像として表示部２３に表示させる。
【００５１】
接続フロー制御部２５４は、表示変更指示をユーザ指示部２２が取得した場合、出力画像に基づく画像を表示するディスプレイ２ｂが自装置と同一の画像を表示するように設定されていないときは、拡大縮小部２５１が表示用画像を拡大した拡大画像を表示用画像として表示部２３に表示させる。
【００５２】
接続フロー制御部２５４は、同期制御部２５３が取得した同期設定情報が、ディスプレイ２ｂが同期設定モードに設定されていることを示している場合、トリミング画像を表示部２３に表示させてもよい。具体的には、接続フロー制御部２５４は、同期設定モードであるか否かを判定し、同期設定モードであると判定した場合、トリミング画像を表示部２３に表示させる。また、接続フロー制御部２５４は、同期設定モードでないと判定した場合、拡大画像を表示部２３に表示させる。
【００５３】
このようにすることで、ディスプレイ２ａは、ユーザから表示用画像を変更する表示変更指示を受けた場合に、ディスプレイ２ａとディスプレイ２ｂとが同期設定されているときはカメラ１が出力画像を切り出したトリミング画像を表示させることができる。したがって、ディスプレイ２ａは、拡大縮小部２５１が生成した拡大画像を表示する場合よりも高画質な表示用画像を表示することができる。また、ディスプレイ２ａは、ユーザから表示用画像を変更する表示変更指示を受けた場合に、ディスプレイ２ａとディスプレイ２ｂとが同期設定されていないときは、ディスプレイ２ａが表示用画像を拡大した拡大画像を表示することができる。したがって、ディスプレイ２ｂを視認するユーザの意図しない画像がディスプレイ２ｂに表示させることを防止することができる。
【００５４】
接続フロー制御部２５４は、カメラ１が表示変更指示に基づいて出力画像を切り出すことができる場合にトリミング画像をディスプレイ２ｂに表示させ、カメラ１が表示変更指示に基づいて出力画像を切り出すことができない場合に、拡大縮小部２５１が生成した拡大画像を表示部２３に表示させてもよい。具体的には、接続フロー制御部２５４は、接続フロー情報に含まれる「切出機能」の有無に基づいてトリミング可能かどうかを判定する。例えば、接続フロー制御部２５４は、カメラ１の「切出機能」が「有」か否かを判定し、「切出機能」が「有」である場合、出力画像を切り出すことができると判定し、カメラ１が出力画像を切り出したトリミング画像を表示部２３に表示させる。
【００５５】
また、接続フロー制御部２５４は、カメラ１の「切出機能」が「無」である場合、出力画像を切り出すことができないと判定し、拡大縮小部２５１が生成した拡大画像を表示部２３に表示させる。このようにすることで、ディスプレイ２ａは、カメラ１が「切出機能」を有する場合にトリミング画像を表示用画像として表示部２３に表示させることができるので、ユーザは高画質のトリミング画像を用いて画像のディテールやフォーカスを確認することができる。
【００５６】
接続フロー制御部２５４は、表示変更指示に対応する画像に含まれる画素数が、カメラ１が切り出し可能な画像の画素数よりも多い場合に、カメラ１が切り出した画像を拡大処理してから表示部２３に表示させてもよい。具体的には、まず、接続フロー制御部２５４は、表示変更指示が示す拡大対象領域の画像に含まれる画素数が、カメラ１の撮影解像度より定められる拡大対象領域の画素数よりも多い場合に、拡大対象領域を示すサイズ情報を含む切り出し指示をカメラ１に送信する。入出力部２１は、拡大対象領域に対応し、かつカメラ１の撮影解像度と同一の解像度に対応する出力画像をカメラ１から受信する。
【００５７】
接続フロー制御部２５４は、入出力部２１がカメラ１の撮影解像度と同一の出力画像を受信した場合、拡大対象領域に含まれる画素数が表示用画像の画素数になるように出力画像を拡大する指示を拡大縮小部２５１に送信する。拡大縮小部２５１は、拡大対象領域に含まれる画素数が表示用画像の画素数になるように出力画像を拡大した拡大画像を生成する。このようにすることで、接続フロー制御部２５４はカメラ１の撮影解像度により定められる画素数よりも多い画素数に対応する画像サイズを指定された場合に、カメラ１が出力可能な最大の大きさで画像を出力させることができる。したがって、ユーザは、できるだけ高解像度の画像を拡大した画像を視認することができる。
【００５８】
接続フロー制御部２５４は、ディスプレイ２ｂと自装置との表示設定が同一である場合に、同一の画像を表示するように設定されていると判定し、トリミング画像を表示部２３に表示させてもよい。具体的には、接続フロー制御部２５４は、同期制御部２５３が取得した表示設定に含まれる画角設定情報及び画質設定情報が同一である場合、同一の画像を表示部２３に表示させてもよい。より具体的には、接続フロー制御部２５４は、同期制御部２５３が取得したディスプレイ２ｂの表示設定情報と、自装置の表示設定情報とを比較し、同一であると判定した場合、トリミング画像を表示部２３に表示させる。このようにすることで、複数のディスプレイ２を視認する複数のユーザは、意図に反した画像が表示されることなく、表示用画像を視認することができる。
【００５９】
なお、接続フロー制御部２５４は、出力画像を切り出したトリミング画像を表示させている状態で、ユーザ指示部２２から切り出し停止指示を受信した場合、トリミング画像の表示を停止してもよい。例えば、接続フロー制御部２５４は、トリミング画像の出力を停止させるための指示をカメラ１に送信することにより、カメラ１にトリミング画像の出力を停止させる。
【００６０】
（接続フロー情報の共有方法）
以上説明したように、ディスプレイ２ａの接続フロー制御部２５４は、接続フロー情報に基づいて、カメラ１が出力画像を切り出したトリミング画像を表示部２３に表示させるか、拡大縮小部２５１が表示用画像を拡大した拡大画像を表示部２３に表示させるかを判定する。また、ディスプレイ２ｂにおいても同様にディスプレイ２ｂの接続フロー制御部２５４が接続フロー情報に基づいて判定する。さらに、ディスプレイ２ｂの後段に複数のディスプレイ２が接続されている場合、複数のディスプレイ２それぞれの接続フロー制御部２５４が接続フロー情報に基づいて判定する。以下、表示システムＳに含まれる各装置が、接続フロー情報を共有する方法について説明する。
【００６１】
まず、カメラ１の接続フロー生成部１４４が、撮像部１１から撮影開始情報を受信すると、自装置の機器情報を生成する。接続フロー生成部１４４が生成する機器情報は、例えば図５（Ａ）で示すテーブル形式の情報である。接続フロー生成部１４４は、自装置の「接続Ｎｏ．」を「１」として機器情報を生成する。接続フロー制御部１４５は接続フロー生成部１４４が生成した機器情報をディスプレイ２ａに送信する。なお、カメラ１の接続フロー制御部１４５は、自装置の機器情報を、ディスプレイ２ａに出力画像とともに送信してもよく、出力画像と別個に送信してもよい。
【００６２】
次に、ディスプレイ２ａの入出力部２１は、受信したカメラ１の機器情報を接続フロー制御部２５４に通知する。接続フロー制御部２５４は、受信したカメラ１の機器情報を接続フロー生成部２５２に通知する。ディスプレイ２の接続フロー生成部２５２は、自装置の機器情報を生成する。ディスプレイ２ａの接続フロー生成部２５２が生成する機器情報は、例えば図５（Ｂ）で示すテーブル形式の情報である。
【００６３】
接続フロー生成部２５２は、受信したカメラ１の機器情報が示すカメラ１の「接続Ｎｏ．」と異なる「２」を「接続Ｎｏ．」とするディスプレイ２ａの機器情報を生成する。続いて、接続フロー生成部２５２は、カメラ１の機器情報及びディスプレイ２ａの機器情報に基づいて、接続フロー情報を生成する。接続フロー生成部２５２は、カメラ１の「前段装置」を「−」、カメラ１の「後段装置」を「２」、ディスプレイ２ａの「前段装置」を「１」として接続フロー情報を生成する。接続フロー生成部２５２は生成した接続フロー情報を接続フロー制御部２５４に通知し、接続フロー制御部２５４は入出力部２１を介して接続フロー情報をディスプレイ２ｂに送信する。
【００６４】
そして、ディスプレイ２ｂの入出力部２１は、受信した接続フロー情報をディスプレイ２ｂの接続フロー制御部２５４に通知する。ディスプレイ２ｂの接続フロー制御部２５４は、受信した接続フロー情報をディスプレイ２ｂの接続フロー生成部２５２に通知する。ディスプレイ２ｂの接続フロー生成部２５２は自装置の機器情報を生成する。接続フロー生成部２５２は、受信した接続フロー情報、及び自装置の機器情報に基づいて、新たな接続フロー情報を生成する。接続フロー生成部２５２は、「接続Ｎｏ．」を「３」、ディスプレイ２ｂの「前段装置」を「２」、ディスプレイ２ｂの「後段装置」を「−」とし、ディスプレイ２ａの「後段装置」を「３」として接続フロー情報を生成する。
【００６５】
ディスプレイ２ｂの接続フロー制御部２５４は、後段装置があるか否かを判定する。接続フロー制御部２５４は後段装置があると判定した場合は、後段装置に接続フロー情報を送信する。接続フロー制御部２５４は後段装置がないと判定した場合は、前段装置に接続フロー情報を送信する。本実施形態においては、ディスプレイ２ｂの後段に接続されている機器がないので、ディスプレイ２ｂの接続フロー制御部２５４は後段装置がないと判定し、接続フロー情報をディスプレイ２ａに送信する。
【００６６】
ディスプレイ２ａの接続フロー制御部２５４は、ディスプレイ２ｂから接続フロー情報を送信すると、ディスプレイ２ｂから受信した接続フロー情報を、新たな接続フロー情報として記憶部２４に記憶させる。また、ディスプレイ２ａの接続フロー制御部２５４は、ディスプレイ２ｂから受信した接続フロー情報をカメラ１に送信する。カメラ１の接続フロー制御部１４５は、受信した接続フロー情報を記憶部１３に記憶させる。以上のようにすることで、表示システムＳに含まれる全ての機器に、同一の接続フロー情報を共有させることができる。
【００６７】
以下、ディスプレイ２ａの接続フロー制御部２５４が、共有された接続フロー情報に基づいて、カメラ１が出力画像を切り出したトリミング画像を表示部２３に表示させるか、拡大縮小部２５１が表示用画像を拡大した拡大画像を表示部２３に表示させるかを判定する処理について説明する。
【００６８】
図７は、ディスプレイ２の動作フローチャートである。図７のフローチャートにおいては、ユーザがディスプレイ２ａのユーザ指示部２２を操作して、表示用画像を拡大する表示変更指示を入力したものとして説明する。なお、以下ディスプレイ２ａが動作するものとして説明するが、ディスプレイ２ｂは、ディスプレイ２ａと同様に動作する。
【００６９】
まず、ステップＳ１において、接続フロー制御部２５４は、接続フロー情報の「前段装置」及び「切出機能」を参照して、自装置の前段に切り出し機能を有する装置があるか否かを判定する。接続フロー制御部２５４は、自装置の前段に切り出し機能を有する装置があると判定した場合ステップＳ２に進み、切り出し機能を有する装置がないと判定した場合ステップＳ４に進む。
【００７０】
ステップＳ２において、接続フロー制御部２５４は、接続フロー情報の「出力方法」を参照して自装置からスルーアウト出力している装置があるか否かを判定する。接続フロー制御部２５４は、「出力方法」が「スルーアウト」であればスルーアウト出力している装置があると判定しステップＳ３に進む。接続フロー制御部２５４は、「出力方法」が「スルーアウト」でなければスルーアウト出力している装置がないと判定し、ステップＳ５に進む。
【００７１】
ステップＳ３において、接続フロー制御部２５４は、スルーアウト出力している装置が同期設定されているか否かを判定する。接続フロー制御部２５４は、「種別」がディスプレイであり、かつ「映像ソース」が同一である装置について、「同期設定」が「有」の場合に、同期設定されていると判定してステップＳ５に進む。接続フロー制御部２５４は、「同期設定」が「無」の場合に、同期設定されていないと判定してステップＳ４に進む。
【００７２】
ステップＳ４において、接続フロー制御部２５４は、拡大縮小部２５１が表示用画像を拡大した拡大画像を表示部２３に表示させる。ステップＳ５において、接続フロー制御部２５４は、カメラ１が出力画像を切り出したトリミング画像を表示部２３に表示させる。
なお、以上の説明においては、カメラ１が画像をトリミングする場合について説明したが、カメラ１は、画像をトリミングするだけでなく、画像を縮小したり変形したりしてもよい。
【００７３】
［第１の実施形態の効果］
以上説明したように、接続フロー制御部２５４は、複数のディスプレイ２の間において同期設定されている場合に、カメラ１が出力画像を切り出したトリミング画像を表示部２３に表示させる。また、接続フロー制御部２５４は、複数のディスプレイ２の間において同期設定されていない場合に、拡大縮小部２５１が表示用画像を拡大した拡大画像を表示部２３に表示させる。このようにすることで、接続フロー制御部２５４は、ユーザが表示用画像を拡大したい場合に、他のディスプレイ２で同一の画像を表示しているかどうかによって、表示用画像の拡大方法を切り替えることができる。したがって、ディスプレイ２は、接続形態に適した方法で表示用画像を拡大表示することができる。
【００７４】
＜第２の実施形態＞
第２の実施形態における表示システムＳは、出力画像を複数のディスプレイに分配するスイッチャーと、出力画像の切り出し機能を有する切り出し装置とを有する点で第１の実施形態と異なる。以下の説明においては、第１の実施形態と異なる点について説明し、同様の点については適宜省略する。
【００７５】
図８は、第２の実施形態に係る表示システムＳの構成を示す図である。第２の実施形態に係る表示システムＳは、カメラ１と、ディスプレイ２ａと、ディスプレイ２ｂと、切り出し装置４と、スイッチャー５とを有する。図８（ａ）は、表示システムＳの通常時の動作の概要を説明するための図である。まず、カメラ１が出力画像を出力し、スイッチャー５が出力画像を取得する（図８（ａ）における（１））。次に、スイッチャー５が出力画像をディスプレイ２ａ及びディスプレイ２ｂに出力する（図８（ａ）における（２））。続いて、ディスプレイ２ａが、スイッチャー５が出力した出力画像を取得する（図８（ａ）における（３ａ））。また、ディスプレイ２ｂが、スイッチャー５が出力した出力画像を取得する（図８（ａ）における（３ｂ））。このようにすることで、表示システムＳは、複数のディスプレイで同一の画像を表示させることができる。
【００７６】
図８（ｂ）は、ディスプレイ２ｂにおいてユーザが表示用画像を拡大する表示変更指示を入力した場合の動作の概要を説明するための図である。まず、カメラ１が出力画像を出力し、スイッチャー５が出力画像を取得する（図８（ｂ）における（１））。次に、スイッチャー５が出力画像をディスプレイ２ａに出力する（図８（ｂ）における（２ａ））。続いて、ディスプレイ２ａが、スイッチャー５が出力した出力画像を取得し（図８（ｂ）における（３ａ））、取得した出力画像を表示用画像として表示する。ここで、ユーザが、ディスプレイ２ｂにおいて表示用画像を拡大する操作を行ったとする。
【００７７】
スイッチャー５は、ディスプレイ２ｂから拡大画像の要求を受けると、出力画像を切り出し装置４に出力する（図８（ａ）における（２ｂ））。切り出し装置４は、出力画像から表示変更指示が示す画像と同一の画像を切り出したトリミング画像を生成して、スイッチャー５に出力する（図８（ａ）における（３ｂ））。続いて、スイッチャー５が、切り出し装置４が生成したトリミング画像を取得する（図８（ａ）における（４））。そして、スイッチャー５がトリミング画像をディスプレイ２ｂに出力し、ディスプレイ２ｂがトリミング画像を取得する（図８（ａ）における（５））。ディスプレイ２ｂは、取得したトリミング画像を表示用画像として表示する。このようにすることで、第２の実施形態における表示システムＳは、ディスプレイ２ａに出力画像を表示させ、ディスプレイ２ｂに出力画像を切り出したトリミング画像を表示させることができる。以下、切り出し装置４及びスイッチャー５の構成及び機能について詳細に説明する。
【００７８】
図９は、切り出し装置４及びスイッチャー５の構成を示す図である。切り出し装置４は、スイッチャー５を介して取得した撮像画像から一部の領域の画像を切り出す装置であり、入出力部４１と、出力制御部４２と、記憶部４３とを有する。出力制御部４２は、切り出し処理部４２１、接続フロー生成部４２２及び接続フロー制御部４２３を含む。入出力部４１は、他の装置と映像及び情報を送受信する通信インターフェースである。出力制御部４２は、例えばＣＰＵであり、切り出し装置４の動作を制御する。出力制御部４２は、切り出し処理部４２１、接続フロー生成部４２２及び接続フロー制御部４２３として機能する。
【００７９】
切り出し処理部４２１は、撮像画像から、接続フロー制御部４２３から取得した切り出し指示に含まれる開始座標及びサイズ情報が示す領域の画像を切り出してトリミング画像を生成する。切り出し処理部４２１は、生成したトリミング画像を、入出力部４１を介してスイッチャー５に送信する。
【００８０】
接続フロー生成部４２２は、機器情報又は接続フロー情報を生成する。接続フロー制御部４２３は、スイッチャー５から切り出し指示を取得して切り出し処理部４２１に通知する。接続フロー制御部４２３は、切り出し処理部４２１に撮像画像からトリミング画像を切り出させてスイッチャー５に送信させる。
【００８１】
記憶部４３は、ＲＯＭ、及びＲＡＭなどの記憶媒体を含む。記憶部４３は、自装置の機器情報、他の装置の機器情報、及び接続フロー情報を記憶する。また、記憶部４３は、例えば出力制御部４２が実行するプログラムの記憶、映像データ、又は画像データを記憶してもよい。
【００８２】
スイッチャー５は、取得した画像を複数の装置に分配する分配装置であり、入出力部５１と、出力制御部５２と、記憶部５３とを含む。出力制御部５２は、縮小部５２１、接続フロー生成部５２２、及び接続フロー制御部５２３を含む。入出力部５１は、他の装置と映像及び情報を送受信する通信インターフェースである。出力制御部５２は、例えばＣＰＵであり、スイッチャー５の動作を制御する。出力制御部５２は、縮小部５２１、接続フロー生成部５２２及び接続フロー制御部５２３として機能する。
【００８３】
縮小部５２１は、カメラ１が出力した撮像画像を取得し、取得した撮像画像を縮小することにより出力画像を生成する。縮小部５２１は、入出力部５１を介して、ディスプレイ２に出力画像を出力する。
【００８４】
接続フロー生成部５２２は、スイッチャー５の機器情報又は接続フロー情報を生成する。接続フロー制御部５２３は、ディスプレイ２から表示変更指示を取得し、取得した表示変更指示に基づいて入出力部５１を制御することにより、縮小部５２１が生成した出力画像又は切り出し装置４が生成したトリミング画像をディスプレイ２に対して出力する。例えば、接続フロー制御部５２３は、ディスプレイ２ｂから表示変更指示を取得した場合、ディスプレイ２ａに出力画像を出力し、ディスプレイ２ｂにトリミング画像を出力する。また例えば、接続フロー制御部５２３は、表示変更指示を受信していない場合、接続された複数のディスプレイ２に同一の出力画像を出力する。
【００８５】
記憶部５３は、ＲＯＭ、及びＲＡＭなどの記憶媒体を含む。記憶部５３は、自装置の機器情報、他の装置の機器情報、及び接続フロー情報を記憶する。また、記憶部５３は、例えば出力制御部５２が実行するプログラムの記憶、映像データ、又は画像データを記憶してもよい。
【００８６】
以下、ディスプレイ２ｂが、表示用画像の拡大指示を取得したものとして、ディスプレイ２ａ、ディスプレイ２ｂ、切り出し装置４及びスイッチャー５の動作について説明する。以下の説明において、画像出力装置と、画像出力装置が出力する出力画像を表示するディスプレイ２との関係を接続関係という。また、例えば、カメラ１が出力する出力画像を表示中に、切り出し装置４が切り出したトリミング画像をディスプレイ２ａに出力するように、ディスプレイ２が表示する画像の出力元となる画像出力装置を変更することを、接続関係を変更するという。
【００８７】
ディスプレイ２ｂの接続フロー制御部２５４は、ユーザ指示部２２が拡大指示を取得した場合、接続フロー情報に基づいて、ディスプレイ２ａ及び２ｂに出力画像に基づく画像を分配して入力するスイッチャー５が接続されているか否かを判定する。接続フロー制御部２５４は、判定結果に基づいて、トリミング画像を表示用画像として表示部２３に表示させるか、拡大画像を表示用画像として表示部２３に表示させるかを決定する。
【００８８】
例えば、ディスプレイ２ｂの接続フロー制御部２５４は、ディスプレイ２ａ及び２ｂにスイッチャー５が接続されており、かつディスプレイ２ａ及び２ｂが同一の画像を表示するように設定されていないときは、ディスプレイ２ｂは、トリミング画像をディスプレイ２ｂの表示部２３に表示させると決定する。また、例えば、ディスプレイ２ｂの接続フロー制御部２５４は、ディスプレイ２ａ及び２ｂにスイッチャー５が接続されており、かつディスプレイ２ａ及び２ｂがディスプレイ２ａと同一の画像を表示するように設定されているときは、自身の拡大縮小部２５１で生成された拡大画像を表示部２３に表示させると決定する。
【００８９】
ディスプレイ２ｂの接続フロー制御部２５４は、複数の画像出力装置と接続されている状態において、複数の画像出力装置のうち少なくとも一つが画像の切り出し機能を有する場合、切り出し機能を有する画像出力装置（例えば切り出し装置４）が外部装置（他のディスプレイ２ａ）に画像を出力しているか否かを判定する。ディスプレイ２ｂの接続フロー制御部２５４は、切り出し機能を有する画像出力装置が他のディスプレイ２ａに画像を出力していない場合、切り出し機能を有する画像出力装置とディスプレイ２ｂとの接続関係を変更する。例えば、ディスプレイ２ｂの接続フロー制御部２５４は、切り出し装置４が切り出したトリミング画像をディスプレイ２ｂに出力するようにスイッチャー５を制御する。
【００９０】
以上説明したように、拡大指示を取得したディスプレイ２ｂの接続フロー制御部２５４は、スイッチャー５が接続されている場合に、切り出し装置４が撮像画像から切り出したトリミング画像を表示させ、スイッチャー５が接続されていない場合に拡大縮小部２５１が拡大した拡大画像を表示させる。また、接続フロー制御部２５４は、スイッチャー５に切り出し装置４が接続されている場合、切り出し装置４が他のディスプレイ２にトリミング画像を出力していないときに、切り出し装置４が切り出したトリミング画像を表示させる。このようにすることで、ディスプレイ２ａを使用するユーザは、スイッチャー５に複数のディスプレイ２が接続されている場合であっても、他のディスプレイ２が表示する表示用画像を変更することなく、ディスプレイ２ａの表示用画像を変更することができる。
【００９１】
（接続フロー情報の共有方法）
第２の実施形態に係る表示システムＳは、第１の実施形態と同様に接続フロー情報を共有するが、第１の実施形態と異なり、スイッチャー５の接続フロー生成部５２２が、表示システムＳに含まれる各装置の機器情報を取得し、各装置の機器情報に基づいて接続フロー情報を生成する。以下、スイッチャー５の接続フロー生成部５２２が、各装置の機器情報に基づいて接続フロー情報を生成する方法について説明する。
【００９２】
スイッチャー５の接続フロー生成部５２２は、受信した複数の機器情報を結合して新たな機器情報を生成する。具体的には、スイッチャー５の接続フロー生成部５２２は、スイッチャー５の接続フロー生成部５２２が生成した機器情報と、受信した機器情報とを比較し、生成した機器情報にない機器情報が受信した機器情報に含まれている場合、生成した機器情報にない機器情報を含む新たな機器情報を生成する。スイッチャー５の接続フロー生成部５２２は、生成した機器情報にない機器情報が、受信した機器情報に含まれていない場合、受信した機器情報を破棄する。
【００９３】
スイッチャー５の接続フロー制御部５２３は、複数の機器情報を結合することにより生成した機器情報に、後段に接続された装置の機器情報がすべて追記されているか否かを判定する。例えば、接続フロー制御部５２３は、接続フロー生成部５２２が生成した機器情報と、受信した機器情報とを比較し、生成した機器情報にない機器情報が、受信した機器情報に含まれていない場合、後段に接続された装置の機器情報がすべて追記されていると判定する。接続フロー制御部５２３が後段に接続された装置の機器情報がすべて追記されていると判定した場合、接続フロー生成部５２２は、生成した機器情報に基づいて接続フロー情報を生成する。以下、スイッチャー５の接続フロー制御部５２３が、表示システムＳに含まれる各装置の機器情報を取得する方法について、図１０を参照しながら説明する。図１０は、第２の実施形態に係る機器情報の一例を示す図である。
【００９４】
まず、カメラ１の接続フロー生成部１４４が、撮像部１１から撮影開始情報を受信すると、自装置の機器情報を生成する。接続フロー生成部１４４が生成する機器情報は、例えば図１０（Ａ）で示すテーブル形式の情報である。接続フロー生成部１４４は、自装置の「接続Ｎｏ．」を「１」として機器情報を生成する。接続フロー制御部１４５は接続フロー生成部１４４が生成した機器情報をスイッチャー５に送信する。
【００９５】
スイッチャー５の接続フロー制御部５２３は、カメラ１の機器情報を受信すると、スイッチャー５の接続フロー生成部５２２に通知する。接続フロー生成部５２２は、カメラ１の機器情報を受信すると、スイッチャー５の機器情報を、スイッチャー５の「接続Ｎｏ．」を「２」として、例えば図１０（Ｂ）で示すテーブル形式の情報として生成する。接続フロー生成部５２２は、スイッチャー５の機器情報をカメラ１の機器情報に追記することにより新たな機器情報を生成する。接続フロー生成部５２２は新たに生成した機器情報を接続フロー制御部５２３に通知するとともに、記憶部５３に記憶させる。
【００９６】
スイッチャー５の接続フロー制御部５２３は、接続フロー生成部５２２が生成した機器情報を、ディスプレイ２ａ、ディスプレイ２ｂ及び切り出し装置４に送信する。なお、接続フロー制御部５２３は、ディスプレイ２ａ、ディスプレイ２ｂ及び切り出し装置４に機器情報を送信する場合、機器情報とともに「接続Ｎｏ．」を送信してもよい。例えば、接続フロー制御部５２３は、前段装置が分配機器であることを示す「接続Ｎｏ．」として、「接続Ｎｏ．」に添え字を付けた「接続Ｎｏ．」を送信する。具体的には、接続フロー制御部５２３は、ディスプレイ２ａに「接続Ｎｏ．」として「３Ａ」を、ディスプレイ２ｂに「接続Ｎｏ．」として「３Ｂ」を、切り出し装置４に「接続Ｎｏ．」として「３Ｃ」を送信する。
【００９７】
ディスプレイ２ａの接続フロー生成部２５２は、「接続Ｎｏ．」を「３Ａ」としてディスプレイ２ａの機器情報を生成する。ディスプレイ２ｂの接続フロー生成部２５２は、「接続Ｎｏ．」を「３Ｂ」としてディスプレイ２ｂの機器情報を生成する。切り出し装置４の接続フロー生成部４２２は、「接続Ｎｏ．」を「３Ｃ」として切り出し装置４の機器情報を生成する。ディスプレイ２ａ、ディスプレイ２ｂ、及び切り出し装置４が生成する機器情報は、それぞれ図１０（Ｃ）、（Ｄ）、（Ｅ）のようなテーブル形式の情報である。
【００９８】
ディスプレイ２ａの接続フロー制御部２５４は、自装置の後段に他の装置があるか否かを判定し、後段に他の装置があると判定した場合、受信した機器情報にディスプレイ２ａの機器情報を追記した新たな機器情報を後段の他の装置に送信する。ディスプレイ２ａの接続フロー制御部２５４は、後段に他の装置がないと判定した場合、受信した機器情報にディスプレイ２ａの機器情報を追記した新たな機器情報をスイッチャー５に送信する。ディスプレイ２ｂの接続フロー制御部２５４、及び切り出し装置４の接続フロー制御部４２３も同様の動作を行う。
【００９９】
以上のように、スイッチャー５の後段に接続された装置が、それぞれが生成した機器情報をスイッチャー５に送信することにより、スイッチャー５の接続フロー制御部５２３は表示システムＳに含まれる各装置の機器情報を取得することができる。スイッチャー５の接続フロー制御部５２３は、取得した各装置の機器情報をスイッチャー５の接続フロー生成部５２２に通知する。接続フロー生成部５２２は、各装置の機器情報に基づいて、接続フロー情報を生成する。接続フロー生成部５２２は、例えば図１１に示すテーブル形式の情報として、接続フロー情報を生成する。図１１は、第２の実施形態に係る接続フロー情報の一例を示す図である。以下、第２の実施形態に係る接続フロー情報の項目について説明する。
【０１００】
第２の実施形態における「種別」は、第１の実施形態に示した種別の他、「スイッチャー」、「切り出し装置」のいずれかから選択されるものとする。「撮影／最大受信解像度」は、「種別」が「スイッチャー」であれば受信可能な解像度、「切り出し装置」であれば切り出し可能な解像度を示す。「映像ソース」は、出力画像が加工された加工画像が入力されている場合、加工した装置の「接続Ｎｏ．」を含む。例えば、「接続Ｎｏ．」が「１」の装置から出力された出力画像を、「接続Ｎｏ．」が「２」の装置が加工した場合、「映像ソース」は「１，２」となる。「出力方法」が「分配」であれば、画像を２つ以上の装置へ出力可能であることを示す。
【０１０１】
スイッチャー５の接続フロー制御部５２３は、接続フロー生成部５２２が生成した接続フロー情報を、表示システムＳに含まれる各装置に送信する。このようにすることで、表示システムＳに含まれる各装置は、接続フロー情報を共有することができる。以下、ディスプレイ２の接続フロー制御部２５４が、スイッチャー５が接続されているか否かを判定し、接続フロー情報に基づいて、出力画像を切り出したトリミング画像を表示させるか、変更画像を表示させるか判定する処理について説明する。
【０１０２】
（ディスプレイ２の動作フローチャート）
図１２は、第２の実施形態に係るディスプレイ２の動作フローチャートである。図１２のフローチャートにおいては、ユーザがディスプレイ２ｂのユーザ指示部２２を操作して、表示用画像を拡大する表示変更指示を入力したものとして説明する。なお、以下ディスプレイ２ｂの動作について説明するが、ディスプレイ２ａは、ディスプレイ２ｂと同様に動作する。
【０１０３】
まず、ステップＳ１１において、ディスプレイ２ｂの接続フロー制御部２５４は、接続フロー情報の「前段装置」及び「切出機能」を参照して、自装置の前段に切り出し機能を有する装置があるか否かを判定する。接続フロー制御部２５４は、自装置の前段に切り出し機能を有する装置があると判定した場合ステップＳ１２に進み、切り出し機能を有する装置がないと判定した場合ステップＳ１７に進む。
【０１０４】
ステップＳ１２において、接続フロー制御部２５４は、接続フロー情報の「出力方法」を参照して、自装置の前段に分配を行っている装置があるか否かを判定する。具体的には、接続フロー制御部２５４は、自装置の前段装置の「出力方法」に「分配」が含まれている場合に、分配を行っている装置があると判定する。接続フロー制御部２５４は、分配を行っている装置があると判定するとステップＳ１３に進み、分配を行っている装置がないと判定するとステップＳ１４に進む。
【０１０５】
ステップＳ１３において、接続フロー制御部２５４は、自装置の前段にカメラ以外で切り出し機能を有する装置があるか否かを判定する。具体的には、接続フロー制御部２５４は、接続フロー情報の「種別」が「カメラ」ではなく、かつ「切出し機能」が「有」である装置が自装置の前段にあるか否かを判定する。接続フロー制御部２５４は、自装置の前段にカメラ以外で切り出し機能を有する装置があると判定するとステップＳ１５に進む。接続フロー制御部２５４は、自装置の前段にカメラ以外で切り出し機能を有する装置がないと判定すると、ステップＳ１６に進む。
【０１０６】
ステップＳ１４において、接続フロー制御部２５４は、接続フロー情報の「出力方法」を参照して、自装置からスルーアウト出力している装置があるか否かを判定する。接続フロー制御部２５４は、「出力方法」が「スルーアウト」であればスルーアウト出力している装置があると判定し、ステップＳ１６に進む。接続フロー制御部２５４は、「出力方法」が「スルーアウト」でなければスルーアウト出力している装置がないと判定し、ステップＳ１８に進む。
【０１０７】
ステップＳ１５において、接続フロー制御部２５４は、接続フローを切り替える指示を含む接続フロー切替情報を、出力画像を分配している装置（本実施形態におけるスイッチャー５）に送信する。また、接続フロー制御部２５４は、接続フロー切替情報とともに、表示変更指示をスイッチャー５に送信してもよい。スイッチャー５の接続フロー制御部５２３は、接続フロー切替情報を受信すると、接続フロー切替情報に基づいて、接続フロー情報を変更する。具体的には、スイッチャー５の接続フロー制御部５２３は、接続フロー情報に含まれる「前段装置」、「後段装置」及び「映像ソース」を変更する。
【０１０８】
図１３は、変更された接続フロー情報の一例を示す図である。図１３の変更された接続フロー情報では、図１１の接続フロー情報の「接続Ｎｏ．」が「３Ｃ」である切り出し装置の「後段装置」が「−」から「２」に変更されている。また、「接続Ｎｏ．」が「３Ａ」のディスプレイの「映像ソース」が「１，２」から「１，３Ｃ」に変更されている。
【０１０９】
ステップＳ１６において、接続フロー制御部２５４は、スルーアウト出力している装置が同期設定されているか否かを判定する。接続フロー制御部２５４は、「種別」がディスプレイであり、かつ「映像ソース」が同一である装置について、「同期設定」が「無」の場合に、同期設定されていないと判定してステップＳ１７に進む。ステップ１７において、接続フロー制御部２５４は、拡大縮小部２５１が表示用画像を拡大した拡大画像を表示部２３に表示させる。接続フロー制御部２５４は、「同期設定」が「有」の場合に、同期設定されていると判定してステップＳ１８に進む。
【０１１０】
ステップＳ１８において、接続フロー制御部２５４は、前段装置が出力画像を切り出したトリミング画像を表示部２３に表示させる。具体的には、接続フロー制御部２５４は、「種別」がディスプレイであり、かつ「映像ソース」が同一である装置について、「同期設定」が「有」の場合に、カメラ１が切り出したトリミング画像を表示部２３に表示させる。また、接続フロー制御部２５４は、自装置の前段にカメラ以外で切り出し機能を有する装置がある場合、切り出し機能を有する装置（本実施形態においては切り出し装置４）が切り出したトリミング画像を表示部２３に表示させる。
【０１１１】
（変形例）
以上の説明においては、スイッチャー５の接続フロー生成部５２２が、表示システムＳに含まれる各装置の機器情報を取得し、取得した機器情報に基づいて接続フロー情報を生成した。しかし、これに限らず、表示システムＳに含まれる各装置が、他の装置の機器情報を取得し、取得した機器情報に基づいて接続フロー情報を生成してもよい。具体的には、表示システムＳに含まれる各装置の接続フロー生成部は、表示システムＳに含まれるすべての装置の機器情報に基づいて接続フロー情報を生成する。このようにすることで、各装置の接続フロー生成部は、同一の機器情報に基づいて接続フロー情報を生成するので、同一の接続フロー情報を生成することができる。このようにすることでも、表示システムＳは、各装置に同一の接続フロー情報を共有させることができる。
【０１１２】
［第２の実施形態の効果］
以上説明したように、第２の実施形態における表示システムＳは、カメラ１が出力した出力画像がスイッチャー５を介して複数のディスプレイ２に分配されている。スイッチャー５は、ディスプレイ２から表示変更指示を受信すると、切り出し装置４が接続されているか否かを判定する。スイッチャー５は、切り出し装置４が接続されている場合、表示変更指示を送信したディスプレイ２に切り出し装置４が切り出したトリミング画像を出力し、他のディスプレイ２に出力画像を出力する。
【０１１３】
スイッチャー５は、切り出し装置４が接続されていない場合、出力画像を分配している複数のディスプレイ２が同一の画像を表示するように同期設定されているか否かを判定する。スイッチャー５は、同期設定されている場合、カメラ１が切り出したトリミング画像を複数のディスプレイ２に出力する。スイッチャー５は、同期設定されていない場合、出力画像を分配している複数のディスプレイ２に、出力画像を送信する。表示変更指示を送信したディスプレイ２は、出力画像を拡大した拡大画像を表示する。このようにすることで、ディスプレイ２を視認するユーザは、スイッチャー５が複数の装置に出力画像を分配する場合であっても、表示システムＳの接続形態に適した方法で出力画像を拡大した表示用画像を視認することができる。
【０１１４】
以上、本発明を実施の形態を用いて説明したが、本発明の技術的範囲は上記実施の形態に記載の範囲には限定されず、その要旨の範囲内で種々の変形及び変更が可能である。例えば、装置の分散・統合の具体的な実施の形態は、以上の実施の形態に限られず、その全部又は一部について、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を合わせ持つ。
【符号の説明】
【０１１５】
２  ディスプレイ
２２  ユーザ指示部
２３  表示部
２４  記憶部
２５１  拡大縮小部
２５４  接続フロー制御部
【図１】
2018182511.tif 000003
【図２】
2018182511.tif 000004
【図３】
2018182511.tif 000005
【図４】
2018182511.tif 000006
【図５】
2018182511.tif 000007
【図６】
2018182511.tif 000008
【図７】
2018182511.tif 000009
【図８】
2018182511.tif 000010
【図９】
2018182511.tif 000011
【図１０】
2018182511.tif 000012
【図１１】
2018182511.tif 000013
【図１２】
2018182511.tif 000014
【図１３】
2018182511.tif 000015